(57)【特許請求の範囲】
【請求項１】
棚本体を含み、前記棚本体の中には前方に開口する吹きかけ空間が設置され、前記吹きかけ空間の下側には移動空間が前記吹きかけ空間と連通になるように設置され、前記移動空間の底壁には支持板が前後摺動可能に設置され、前記支持板の頂面には金型を置くことができ、前記支持板の中には上方に開口する摺動空間が二つ左右対称になるように設置され、前記摺動空間の底壁にはいずれも前記金型の置き場所を定位できる定位板が摺動可能に設置され、前記摺動空間の中には二枚の前記定位板を制御して同時に相対移動させられる定位機構が設置され、前記移動空間の下側には動力空間が形成され、前記動力空間の中には前記支持板を制御して前後移動させられう移動機構が設置され、前記吹きかけ空間の右側には補助空間が前記吹きかけ空間と連通になるように設置され、前記補助空間の下側には前記金型を収容できる収容空間が前記補助空間と連通になるように設置され、
前記吹きかけ空間の上側には頂部空間が前記吹きかけ空間と連通になるように設置され、前記頂部空間は前記補助空間と連通し、前記頂部空間の後側には制御空間が前記頂部空間と連通になるように設置され、前記制御空間の内壁にはスライダが摺動可能に設置され、前記スライダは前方へ前記頂部空間に延在し、前記スライダの頂面には旋転板が回転可能に設置され、前記旋転板の内壁内部には第一油圧シリンダが二つ左右対称になるように且つ固定的に嵌め込まれ、前記第一油圧シリンダは下方へ前記スライダを貫通して前記吹きかけ空間に延在し、前記第一油圧シリンダの底面には前記金型を挟持できる挟持機構が連結され、前記スライダの中には下方に開口するモータ空間が設置され、前記モータ空間の中には回転機構が設置され、前記回転機構は前記挟持機構を制御して前記制御機構に前記金型を回転させられ、前記制御空間の中には前記スライダを制御して左右移動させられる制御機構が設置され、前記吹きかけ空間の左側には左部空間が前記吹きかけ空間と連通になるように設置され、前記左部空間の中には前記金型に防錆剤を吹きかけられる吹きかけ機構が設置されていることを特徴とする金型防錆用の自動収容型保存棚。
【請求項２】
前記定位機構は横軸を含み、前記横軸は二つの前記摺動空間において互いに離れた側壁に回転可能に設置され、前記横軸は前記支持板の内壁と前記定位板とを貫通し、前記横軸と前記定位板とはネジ山で連結され、二つの前記摺動空間の間には歯車空間が形成され、前記横軸は前記歯車空間を貫通し、前記歯車空間において前記横軸は外周に第一傘歯車が固定的に設置され、前記歯車空間の前壁には旋転軸が回転可能に設置され、前記支持板の外周には第二傘歯車が固定的に設置され、前記第二傘歯車は前記第一傘歯車と噛み合い、前記旋転軸は前方へ前記支持板を貫通し、且つ前記旋転軸の前面にはハンドル輪が固定的に設置されていることを特徴とする請求項１に記載の金型防錆用の自動収容型保存棚。
【請求項３】
前記移動機構は前記支持板の左右面に固定的に設置されたラックを含み、前記移動空間の底壁には縦軸が二本左右対称になるように且つ回転可能に設置され、前記縦軸の頂面にはいずれも歯車が固定的に設置され、前記歯車はいずれも前記ラックと噛み合い、前記縦軸はいずれも下方へ前記動力空間に延在し、且つ前記縦軸の底面にはいずれもウォーム歯車が固定的に設置され、前記動力空間の底壁には第一モータが固定的に設置され、前記第一モータの両面にはいずれもウォームが伝動可能に連結され、前記ウォームは前記ウォーム歯車と噛み合っていることを特徴とする請求項１に記載の金型防錆用の自動収容型保存棚。
【請求項４】
前記吹きかけ空間の前側には閉鎖門が摺動可能に装着されていることを特徴とする請求項３に記載の金型防錆用の自動収容型保存棚。
【請求項５】
前記挟持機構は左右対称となる二本の第一油圧棒を含み、前記第一油圧棒の頂面はいずれも二つの前記第一油圧シリンダと伝動可能に連結され、前記第一油圧棒の底面にはいずれも連結ブロックが固定的に設置され、前記連結ブロックの頂面にはエアシリンダが固定的に設置され、前記エアシリンダの底面にはいずれもエアシリンダ棒が伝動可能に連結され、前記エアシリンダ棒は下方へ前記連結ブロックを貫通し、二つの前記連結ブロックにおいて互いに近接した側にはいずれも貫通空間が形成され、前記貫通空間の前後壁にはいずれも固定棒が固定的に設置され、前記固定棒の外周にはいずれも挟持板が回転可能に設置され、前記挟持板と前記エアシリンダ棒との間には第一連結棒がヒンジで連結されていることを特徴とする請求項１に記載の金型防錆用の自動収容型保存棚。
【請求項６】
前記回転機構は前記モータ空間の頂壁に固定的に設置された第二モータを含み、前記第二モータの下面にはモータ軸が伝動可能に連結され、前記スライダの底面には伝動板が回転可能に設置され、前記モータの底面と前記伝動板の頂面とは固定的に連結され、前記第一油圧シリンダと前記伝動板とは固定的に連結され、前記スライダの中には環状空間が形成され、前記第一油圧シリンダは前記環状空間を貫通していることを特徴とする請求項１に記載の金型防錆用の自動収容型保存棚。
【請求項７】
前記制御機構は前記制御空間の右壁に固定的に設置された第三モータを含み、前記第三モータの左面にはボルトが伝動可能に連結され、前記ボルトは左方へ前記スライダの内壁を貫通して前記制御空間の左壁と回転可能に連結されていることを特徴とする請求項１に記載の金型防錆用の自動収容型保存棚。
【請求項８】
前記吹きかけ機構は前記左部空間の左壁に固定的に設置された第二油圧シリンダを含み、前記左部空間の左壁には挟持カバーが二つ上下対称になるように且つ固定的に設置され、前記挟持カバーで防錆剤缶を挟持でき、二つの前記防錆剤缶は向きが反対であり、前記防錆剤缶の右側にはいずれもノズルが前記防錆剤缶と連通になるように設置され、前記ノズルの右面にはいずれも連結管が固定的に設置され、前記左部空間の後壁には矩形空間が前記左部空間と連通になるように設置され、前記矩形空間の内壁には矩形ブロックが左右摺動可能に設置され、前記矩形ブロックの前面にはヒンジ連結棒が固定的に設置され、前記ヒンジ連結棒の外周には二本の第二連結棒と一本の第二油圧棒とがヒンジで連結され、前記第二油圧棒の左面は前記第二油圧シリンダと伝動可能に連結され、前記第二連結棒は前記防錆剤缶の押圧部と当接していることを特徴とする請求項１に記載の金型防錆用の自動収容型保存棚。
【請求項９】
前記スライダの底面には隔離パッドが固定的に設置されていることを特徴とする請求項１に記載の金型防錆用の自動収容型保存棚。
【発明の詳細な説明】
【技術分野】
【０００１】
本願発明は金型保存技術分野を取り上げ、特に、金型防錆用の自動収容型保存棚に関わる。
【背景技術】
【０００２】
現在、粉末冶金技術は著しく発展していき、特に製造業における多くの製品製造に応用されつつある。粉末冶金技術において、成形金型は欠かせない部品である。しかし、成形金型は非使用時に、よく錆びるため、厳しい保存環境を必要とする。また、サビ防止のため、通常は防錆剤を吹きかけるが、人力で行うには防錆剤を均一に吹きかけられなく、依然としてサビが生じる。さらに、金型用の保存棚は、基本的に単なる鋼製棚で、人力で保存板を引き出すことでしか金型を入れ又は取り出すことができなく、危険性を伴うため、事故を招きかねないだけでなく、金型が損害する恐れもあり、また、密封環境ではないため、やはりサビ問題を解消できない。
【先行技術文献】
【特許文献】
【０００３】
【特許文献１】中国特許出願公開第１０８６５２２６９号明細書
【発明の概要】
【発明が解決しようとする課題】
【０００４】
本願発明は金型防錆用の自動収容型保存棚を提供し、上記問題を解決することを目的とする。
【課題を解決するための手段】
【０００５】
本願に記載の金型防錆用の自動収容型保存棚は、棚本体を含み、前記棚本体の中には前方に開口する吹きかけ空間が設置され、前記吹きかけ空間の下側には移動空間が前記吹きかけ空間と連通になるように設置され、前記移動空間の底壁には支持板が前後摺動可能に設置され、前記支持板の頂面には金型を置くことができ、前記支持板の中には上方に開口する摺動空間が二つ左右対称になるように設置され、前記摺動空間の底壁にはいずれも前記金型の置き場所を定位できる定位板が摺動可能に設置され、前記摺動空間の中には二枚の前記定位板を制御して同時に相対移動させられる定位機構が設置され、前記移動空間の下側には動力空間が形成され、前記動力空間の中には前記支持板を制御して前後移動させられう移動機構が設置され、前記吹きかけ空間の右側には補助空間が前記吹きかけ空間と連通になるように設置され、前記補助空間の下側には前記金型を収容できる収容空間が前記補助空間と連通になるように設置され、前記吹きかけ空間の上側には頂部空間が前記吹きかけ空間と連通になるように設置され、前記頂部空間は前記補助空間と連通し、前記頂部空間の後側には制御空間が前記頂部空間と連通になるように設置され、前記制御空間の内壁にはスライダが摺動可能に設置され、前記スライダは前方へ前記頂部空間に延在し、前記スライダの頂面には旋転板が回転可能に設置され、前記旋転板の内壁内部には第一油圧シリンダが二つ左右対称になるように且つ固定的に嵌め込まれ、前記第一油圧シリンダは下方へ前記スライダを貫通して前記吹きかけ空間に延在し、前記第一油圧シリンダの底面には前記金型を挟持できる挟持機構が連結され、前記スライダの中には下方に開口するモータ空間が設置され、前記モータ空間の中には回転機構が設置され、前記回転機構は前記挟持機構を制御して前記制御機構に前記金型を回転させられ、前記制御空間の中には前記スライダを制御して左右移動させられる制御機構が設置され、前記吹きかけ空間の左側には左部空間が前記吹きかけ空間と連通になるように設置され、前記左部空間の中には前記金型に防錆剤を吹きかけられる吹きかけ機構が設置されている。
【０００６】
さらなる技術的解決策として、前記定位機構は横軸を含み、前記横軸は二つの前記摺動空間において互いに離れた側壁に回転可能に設置され、前記横軸は前記支持板の内壁と前記定位板とを貫通し、前記横軸と前記定位板とはネジ山で連結され、二つの前記摺動空間の間には歯車空間が形成され、前記横軸は前記歯車空間を貫通し、前記歯車空間において前記横軸は外周に第一傘歯車が固定的に設置され、前記歯車空間の前壁には旋転軸が回転可能に設置され、前記支持板の外周には第二傘歯車が固定的に設置され、前記第二傘歯車は前記第一傘歯車と噛み合い、前記旋転軸は前方へ前記支持板を貫通し、且つ前記旋転軸の前面にはハンドル輪が固定的に設置されている。
【０００７】
さらなる技術的解決策として、前記移動機構は前記支持板の左右面に固定的に設置されたラックを含み、前記移動空間の底壁には縦軸が二本左右対称になるように且つ回転可能に設置され、前記縦軸の頂面にはいずれも歯車が固定的に設置され、前記歯車はいずれも前記ラックと噛み合い、前記縦軸はいずれも下方へ前記動力空間に延在し、且つ前記縦軸の底面にはいずれもウォーム歯車が固定的に設置され、前記動力空間の底壁には第一モータが固定的に設置され、前記第一モータの両面にはいずれもウォームが伝動可能に連結され、前記ウォームは前記ウォーム歯車と噛み合っている。
【０００８】
さらなる技術的解決策として、前記吹きかけ空間の前側には閉鎖門が摺動可能に装着されている。
【０００９】
さらなる技術的解決策として、前記挟持機構は左右対称となる二本の第一油圧棒を含み、前記第一油圧棒の頂面はいずれも二つの前記第一油圧シリンダと伝動可能に連結され、前記第一油圧棒の底面にはいずれも連結ブロックが固定的に設置され、前記連結ブロックの頂面にはエアシリンダが固定的に設置され、前記エアシリンダの底面にはいずれもエアシリンダ棒が伝動可能に連結され、前記エアシリンダ棒は下方へ前記連結ブロックを貫通し、二つの前記連結ブロックにおいて互いに近接した側にはいずれも貫通空間が形成され、前記貫通空間の前後壁にはいずれも固定棒が固定的に設置され、前記固定棒の外周にはいずれも挟持板が回転可能に設置され、前記挟持板と前記エアシリンダ棒との間には第一連結棒がヒンジで連結されている。
【００１０】
さらなる技術的解決策として、前記回転機構は前記モータ空間の頂壁に固定的に設置された第二モータを含み、前記第二モータの下面にはモータ軸が伝動可能に連結され、前記スライダの底面には伝動板が回転可能に設置され、前記モータの底面と前記伝動板の頂面とは固定的に連結され、前記第一油圧シリンダと前記伝動板とは固定的に連結され、前記スライダの中には環状空間が形成され、前記第一油圧シリンダは前記環状空間を貫通している。
【００１１】
さらなる技術的解決策として、前記制御機構は前記制御空間の右壁に固定的に設置された第三モータを含み、前記第三モータの左面にはボルトが伝動可能に連結され、前記ボルトは左方へ前記スライダの内壁を貫通して前記制御空間の左壁と回転可能に連結されている。
【００１２】
さらなる技術的解決策として、前記吹きかけ機構は前記左部空間の左壁に固定的に設置された第二油圧シリンダを含み、前記左部空間の左壁には挟持カバーが二つ上下対称になるように且つ固定的に設置され、前記挟持カバーで防錆剤缶を挟持でき、二つの前記防錆剤缶は向きが反対であり、前記防錆剤缶の右側にはいずれもノズルが前記防錆剤缶と連通になるように設置され、前記ノズルの右面にはいずれも連結管が固定的に設置され、前記左部空間の後壁には矩形空間が前記左部空間と連通になるように設置され、前記矩形空間の内壁には矩形ブロックが左右摺動可能に設置され、前記矩形ブロックの前面にはヒンジ連結棒が固定的に設置され、前記ヒンジ連結棒の外周には二本の第二連結棒と一本の第二油圧棒とがヒンジで連結され、前記第二油圧棒の左面は前記第二油圧シリンダと伝動可能に連結され、前記第二連結棒は前記防錆剤缶の押圧部と当接している。
【００１３】
さらなる技術的解決策として、前記スライダの底面には隔離パッドが固定的に設置されている
【発明の効果】
【００１４】
本発明は以下のプラス効果を有する：本願発明は金型保存時における錆び問題を有効的に解消でき、保存と取出しにおける金型破損や安全リスクを抑えられ、また、本願発明において、ハンドル輪を手動で回すことで、二枚の定位板の距離を調整できるため、金型の置き場所を定位でき、移動機構はモータで支持板の前後移動を制御できるため、手作業による労力消耗を抑えられ、挟持機構と回転機構と制御機構とで金型を挟持でき、さらに金型を上下左右移動や回転させることができるため、金型保存作業の自動化レベルを向上させられ、また、吹きかけ機構は金型が回転するときに防錆剤を吹きかけられ、即ち防錆剤を均一に金型の表面に吹きかけることができる。
【図面の簡単な説明】
【００１５】
下記に図１〜５を合わせて本発明について詳しく説明し、便利に説明するために、本願に記載の各方向を以下のように規定する：図１は本願発明の正面図であり、本願に記載の各方向は、図１における観察方向に基づくものである。
【００１６】
【図１】図１は本願発明の内部全体構成略図
【図２】図２は図１におけるＡ―Ａ方向からの拡大略図
【図３】図３は図１におけるＢの拡大略図
【図４】図４は図１におけるＣの拡大略図
【図５】図５は図１におけるＤの拡大略図
【発明を実施するための形態】
【００１７】
図１〜図５に示したように、本願に記載の金型防錆用の自動収容型保存棚は、棚本体２１を含み、前記棚本体２１の中には前方に開口する吹きかけ空間３４が設置され、前記吹きかけ空間３４の下側には移動空間４１が前記吹きかけ空間３４と連通になるように設置され、前記移動空間４１の底壁には支持板３７が前後摺動可能に設置され、前記支持板３７の頂面には金型３３を置くことができ、前記支持板３７の中には上方に開口する摺動空間４２が二つ左右対称になるように設置され、前記摺動空間４２の底壁にはいずれも前記金型３３の置き場所を定位できる定位板３５が摺動可能に設置され、前記摺動空間４２の中には二枚の前記定位板３５を制御して同時に相対移動させられる定位機構１０１が設置され、前記移動空間４１の下側には動力空間４８が形成され、前記動力空間４８の中には前記支持板３７を制御して前後移動させられう移動機構１０２が設置され、前記吹きかけ空間３４の右側には補助空間２３が前記吹きかけ空間３４と連通になるように設置され、前記補助空間２３の下側には前記金型３３を収容できる収容空間２４が前記補助空間２３と連通になるように設置され、前記吹きかけ空間３４の上側には頂部空間１８が前記吹きかけ空間３４と連通になるように設置され、前記頂部空間１８は前記補助空間２３と連通し、前記頂部空間１８の後側には制御空間１９が前記頂部空間１８と連通になるように設置され、前記制御空間１９の内壁にはスライダ１２が摺動可能に設置され、前記スライダ１２は前方へ前記頂部空間１８に延在し、前記スライダ１２の頂面には旋転板１１が回転可能に設置され、前記旋転板１１の内壁内部には第一油圧シリンダ１３が二つ左右対称になるように且つ固定的に嵌め込まれ、前記第一油圧シリンダ１３は下方へ前記スライダ１２を貫通して前記吹きかけ空間３４に延在し、前記第一油圧シリンダ１３の底面には前記金型３３を挟持できる挟持機構１０３が連結され、前記スライダ１２の中には下方に開口するモータ空間１６が設置され、前記モータ空間１６の中には回転機構１０４が設置され、前記回転機構１０４は前記挟持機構１０３を制御して前記制御機構１０３に前記金型３３を回転させられ、前記制御空間１９の中には前記スライダ１２を制御して左右移動させられる制御機構１０５が設置され、前記吹きかけ空間３４の左側には左部空間２６が前記吹きかけ空間３４と連通になるように設置され、前記左部空間２６の中には前記金型３３に防錆剤を吹きかけられる吹きかけ機構１０６が設置されている。
【００１８】
前記定位機構１０１は横軸３６を含み、前記横軸３６は二つの前記摺動空間４２において互いに離れた側壁に回転可能に設置され、前記横軸３６は前記支持板３７の内壁と前記定位板３５とを貫通し、前記横軸３６と前記定位板３５とはネジ山で連結され、二つの前記摺動空間４２の間には歯車空間５０が形成され、前記横軸３６は前記歯車空間５０を貫通し、前記歯車空間５０において前記横軸３６は外周に第一傘歯車５１が固定的に設置され、前記歯車空間５０の前壁には旋転軸６６が回転可能に設置され、前記支持板３７の外周には第二傘歯車５２が固定的に設置され、前記第二傘歯車５２は前記第一傘歯車５１と噛み合い、前記旋転軸６６は前方へ前記支持板３７を貫通し、且つ前記旋転軸６６の前面にはハンドル輪３８が固定的に設置され、
手動で前記ハンドル輪３８を回すことで、前記旋転軸６６に前記横軸３６を回転させられ、さらに二枚の前記定位板３５を同時に相対移動させられ、即ち前記金型３３の幅に応じて前記定位板３５で前記金型３３の置き場所を調整し定位することができる。
【００１９】
前記移動機構１０２は前記支持板３７の左右面に固定的に設置されたラック４３を含み、前記移動空間４１の底壁には縦軸４５が二本左右対称になるように且つ回転可能に設置され、前記縦軸４５の頂面にはいずれも歯車４４が固定的に設置され、前記歯車４４はいずれも前記ラック４３と噛み合い、前記縦軸４５はいずれも下方へ前記動力空間４８に延在し、且つ前記縦軸４５の底面にはいずれもウォーム歯車４６が固定的に設置され、前記動力空間４８の底壁には第一モータ４９が固定的に設置され、前記第一モータ４９の両面にはいずれもウォーム４７が伝動可能に連結され、前記ウォーム４７は前記ウォーム歯車４６と噛み合い、
前記第一モータ４９が作動することで、前記ウォーム４７に前記縦軸４５を回転させられ、さらに前記歯車４４に前記支持板３７を前後移動させられる。  
【００２０】
前記吹きかけ空間３４の前側には閉鎖門４０が摺動可能に装着され、
前記閉鎖門４０を開けることで、前記支持板３７を外部に移動させられ、即ち前記金型３３を入れ又は取り出すことができる。
【００２１】
前記挟持機構１０３は左右対称となる二本の第一油圧棒５７を含み、前記第一油圧棒５７の頂面はいずれも二つの前記第一油圧シリンダ１３と伝動可能に連結され、前記第一油圧棒５７の底面にはいずれも連結ブロック６３が固定的に設置され、前記連結ブロック６３の頂面にはエアシリンダ５８が固定的に設置され、前記エアシリンダ５８の底面にはいずれもエアシリンダ棒５９が伝動可能に連結され、前記エアシリンダ棒５９は下方へ前記連結ブロック６３を貫通し、二つの前記連結ブロック６３において互いに近接した側にはいずれも貫通空間６２が形成され、前記貫通空間６２の前後壁にはいずれも固定棒６４が固定的に設置され、前記固定棒６４の外周にはいずれも挟持板６１が回転可能に設置され、前記挟持板６１と前記エアシリンダ棒５９との間には第一連結棒６０がヒンジで連結され、
前記エアシリンダ５８が作動することで、前記エアシリンダ棒５９を降下させられ、そして二枚の前記挟持板６１は連動して互いに近接した側へ回転し、前記金型３３を挟持でき、第一油圧シリンダ１３で前記第一油圧棒５７に前記連結ブロック６３を上下移動させられ、即ち前記挟持板６１は前記金型３３を上下移動させられる。
【００２２】
前記回転機構１０４は前記モータ空間１６の頂壁に固定的に設置された第二モータ１４を含み、前記第二モータ１４の下面にはモータ軸１５が伝動可能に連結され、前記スライダ１２の底面には伝動板１７が回転可能に設置され、前記モータ１５の底面と前記伝動板１７の頂面とは固定的に連結され、前記第一油圧シリンダ１３と前記伝動板１７とは固定的に連結され、前記スライダ１２の中には環状空間６５が形成され、前記第一油圧シリンダ１３は前記環状空間６５を貫通し、
前記第二モータ１４が作動することで、前記モータ軸１５に前記伝動板１７を回転させられ、そして二つの前記第一油圧シリンダ１３を回転させて前記金型３３を回転させられ、即ち前記金型３３の外面に均一に防錆剤を吹きかけられる。
【００２３】
前記制御機構１０５は前記制御空間１９の右壁に固定的に設置された第三モータ２２を含み、前記第三モータ２２の左面にはボルト２０が伝動可能に連結され、前記ボルト２０は左方へ前記スライダ１２の内壁を貫通して前記制御空間１９の左壁と回転可能に連結され、
前記第三モータ２２が作動することで、前記スライダ１２を左右移動させられ、そして前記金型３３は連動して左右移動でき、前記金型３３に防錆剤を吹きかけた後に、前記金型３３は右方へ移動して前記収容空間２４に収容されられる。
【００２４】
前記吹きかけ機構１０６は前記左部空間２６の左壁に固定的に設置された第二油圧シリンダ３２を含み、前記左部空間２６の左壁には挟持カバー２８が二つ上下対称になるように且つ固定的に設置され、前記挟持カバー２８で防錆剤缶２７を挟持でき、二つの前記防錆剤缶２７は向きが反対であり、前記防錆剤缶２７の右側にはいずれもノズル３１が前記防錆剤缶２７と連通になるように設置され、前記ノズル３１の右面にはいずれも連結管３０が固定的に設置され、前記左部空間２６の後壁には矩形空間５６が前記左部空間２６と連通になるように設置され、前記矩形空間５６の内壁には矩形ブロック５５が左右摺動可能に設置され、前記矩形ブロック５５の前面にはヒンジ連結棒６７が固定的に設置され、前記ヒンジ連結棒６７の外周には二本の第二連結棒５４と一本の第二油圧棒５３とがヒンジで連結され、前記第二油圧棒５３の左面は前記第二油圧シリンダ３２と伝動可能に連結され、前記第二連結棒５４は前記防錆剤缶２７の押圧部と当接し、
前記第二油圧シリンダ３２が作動することで、前記第二油圧棒５３を右方へ移動させられ、そして前記第二連結棒５４に前記防錆剤缶２７の押圧部を押させ、ここで前記防錆剤缶２７にある防錆剤は前記ノズル３１と前記連結管３０とによって右方へ噴出され、前記金型３３が挟持されて前記第二油圧シリンダ３２の水平右側まで上昇し且つ回転する時、前記第二油圧シリンダ３２が作動して前記防錆剤缶２７を制御して前記防錆剤缶２７に防錆剤を噴出させる。
【００２５】
前記スライダ１２の底面には隔離パッド２５が固定的に設置され、
前記隔離パッド２５で防錆剤霧が前記補助空間２３に噴出されることを避けられる。
【００２６】
使用時に、手動でハンドル輪３８を回すことで、旋転軸６６に横軸３６を回転させられ、さらに二枚の定位板３５を同時に相対移動させられ、即ち金型３３の幅に応じて定位板３５で金型３３の置き場所を調整し定位することができ、第一モータ４９が作動することで、ウォーム４７に縦軸４５を回転させられ、さらに歯車４４に支持板３７を前後移動させられ、閉鎖門４０を開けることで、支持板３７を外部に移動させられ、即ち金型３３を入れ又は取り出すことができ、第一油圧シリンダ１３で第一油圧棒５７に連結ブロック６３を上下移動させられ、即ち挟持板６１は金型３３を上下移動させられ、第二モータ１４が作動することで、モータ軸１５に伝動板１７を回転させられ、そして二つの第一油圧シリンダ１３を回転させて金型３３を回転させられ、即ち金型３３の外面に均一に防錆剤を吹きかけられ、第三モータ２２が作動することで、スライダ１２を左右移動させられ、そして金型３３は連動して左右移動でき、第二油圧シリンダ３２が作動することで、第二油圧棒５３を右方へ移動させられ、そして第二連結棒５４に防錆剤缶２７の押圧部を押させ、ここで防錆剤缶２７にある防錆剤はノズル３１と連結管３０とによって右方へ噴出され、金型３３が挟持されて第二油圧シリンダ３２の水平右側まで上昇し且つ回転する時、第二油圧シリンダ３２が作動して防錆剤缶２７を制御して防錆剤缶２７に防錆剤を噴出させ、金型３３に防錆剤を吹きかけた後に、金型３３は右方へ移動して収容空間２４に収容されられる。
【００２７】
本分野の従業員が明確できるのは、本発明の主旨と発想から離脱しない場合で、以上の実施例に各種な変形が加えられ、それらの変形がすべて本発明の保護範囲にある。本発明の保護方案は本発明の権利要請書を標準とすべきである。
【要約】      （修正有）【課題】本願は金型防錆用の自動収容型保存棚を提供する。【解決手段】本願に記載の金型防錆用の自動収容型保存棚は、棚本体を２１含み、前記棚本体の中には前方に開口する吹きかけ空間３４が設置され、前記吹きかけ空間の下側には移動空間が前記吹きかけ空間と連通になるように設置され、前記移動空間の底壁には支持板が前後摺動可能に設置され、前記支持板の頂面には金型３３を置くことができ、前記支持板の中には上方に開口する摺動空間が二つ左右対称になるように設置され、前記摺動空間の底壁にはいずれも前記金型の置き場所を定位できる定位板が摺動可能に設置され、前記摺動空間の中には二枚の前記定位板を制御して同時に相対移動させられる定位機構１０１が設置され、前記移動空間の下側には動力空間が形成されている。【選択図】図１【図１】
0006784888.tif 000002
【図２】
0006784888.tif 000003
【図３】
0006784888.tif 000004
【図４】
0006784888.tif 000005
【図５】
0006784888.tif 000006